(57)【要約】【課題】結露によるショートの発生を防止することができる防水ＬＥＤユニットを提案すること。【解決手段】ＬＥＤ１１と、該ＬＥＤ１１が取り付けられてなる回路基板１０と、該回路基板１０が防水可能に収容されるハウジング２０とを有してなり、前記ＬＥＤ１１の光が前記ハウジング２０外に出射される防水ＬＥＤユニット１において、前記ハウジング２０の内面２１に接するように吸水部材５０が設けられている。【選択図】図３
2013101819.tif 000002
【特許請求の範囲】
【請求項１】
ＬＥＤと、該ＬＥＤが取り付けられてなる回路基板と、該回路基板が防水可能に収容されるハウジングとを有してなり、前記ＬＥＤの光が前記ハウジング外に出射される防水ＬＥＤユニットにおいて、
前記ハウジングの内面に接するように吸水部材が設けられていることを特徴とする防水ＬＥＤユニット。
【請求項２】
前記吸水部材は、
前記ＬＥＤに向かい合う位置に配置され、前記ＬＥＤのほぼ正面で向かい合う部分に前記ＬＥＤから発せられた光が通過される開口である光通過開口部が形成されてなることを特徴とする請求項１に記載の防水ＬＥＤユニット。
【請求項３】
前記吸水部材は、
濃色であることを特徴とする請求項２に記載の防水ＬＥＤユニット。
【請求項４】
前記ハウジングは、
該ハウジングの内部に乾燥剤が収容されていることを特徴とする請求項１、２または３に記載の防水ＬＥＤユニット。
【発明の詳細な説明】
【技術分野】
【０００１】
本発明は、ＬＥＤが取り付けされる回路基板と、回路基板が防水可能に収容されるハウジングとを有してなる防水ＬＥＤユニットに関する。
【背景技術】
【０００２】
従来、省電力化の要求の高まりに応じて、白熱電球に代わってＬＥＤ（Ｌｉｇｈｔ  Ｅｍｉｔｔｉｎｇ  Ｄｉｏｄｅ）を組み込んだ照明器具が用いられている。このような照明器具としては、ＬＥＤと、ＬＥＤが取り付けされる回路基板と、回路基板が収容されるハウジングとを有してなるＬＥＤユニットがある。例えば、特許文献１には、回路基板がハウジング内に密閉されて収容されることによって、回路基板の防水性を高めるようにした防水ＬＥＤユニットが提案されている。
【０００３】
この特許文献１に記載された防水ＬＥＤユニットは、少なくとも一部に透明な透明部を有する密閉容器状のケース内に透光部に対向させて光源としての発光ダイオードを配置させている。
【先行技術文献】
【特許文献】
【０００４】
【特許文献１】特開２００３−１３７０２９号公報
【発明の概要】
【発明が解決しようとする課題】
【０００５】
しかしながら、特許文献１に記載された防水ＬＥＤユニットは、ＬＥＤの点灯、消灯による急な温度変化、あるいは外気温の急な温度変化等が生じた場合、結露によって空気中に含まれる水分が水滴となってハウジングの内面に付着し、この水滴が回路基板に付着した場合、配線間でのシュートが発生する恐れがあった。
【０００６】
本発明は、上記に鑑みてなされたものであって、結露によるショートの発生を防止することができる防水ＬＥＤユニットを提供することを目的とする。
【課題を解決するための手段】
【０００７】
上述した課題を解決し、目的を達成するために、本発明の請求項１に係る防水ＬＥＤユニットは、ＬＥＤと、該ＬＥＤが取り付けられてなる回路基板と、該回路基板が防水可能に収容されるハウジングとを有してなり、前記ＬＥＤの光が前記ハウジング外に出射されるＬＥＤユニットにおいて、前記ハウジングの内面に接するように吸水部材が設けられていることを特徴とする。
【０００８】
また、本発明の請求項２に係る防水ＬＥＤユニットは、上記の発明において、前記吸水部材は、前記ＬＥＤに向かい合う位置に配置され、前記ＬＥＤのほぼ正面で向かい合う部分に前記ＬＥＤから発せられた光が通過される開口である光通過開口部が形成されてなることを特徴とする。
【０００９】
また、本発明の請求項３に係る防水ＬＥＤユニットは、上記の発明において、前記吸水部材は、濃色であることを特徴とする。
【００１０】
また、本発明の請求項４に係る防水ＬＥＤユニットは、上記の発明において、前記ハウジングは、該ハウジングの内部に乾燥剤が収容されていることを特徴とする。
【発明の効果】
【００１１】
本発明の請求項１に係る防水ＬＥＤユニットは、前記ハウジングの内面に接するように吸水部材が設けられているので、結露によって前記ハウジングの内面に水滴が発生すると、その水滴が前記吸水部材によって吸水され、回路基板に付着することを防ぎ、結果的に結露によるショートの発生を防止することができる。
【００１２】
本発明の請求項２に係る防水ＬＥＤユニットは、前記吸水部材に前記ＬＥＤから発せられた光が通過される開口である光通過開口部が形成されてなるので、前記ハウジングの所定位置から損失を少なく抑えて前記ＬＥＤの光を出射させることができる。
【００１３】
本発明の請求項３に係る防水ＬＥＤユニットは、前記吸水部材が濃色であるので、前記吸水部材を介して光が前記ハウジング外に透過され難くなり、所定位置以外から前記ハウジング外に光が出射させることを確実に防止することができる。
【００１４】
本発明の請求項４に係る防水ＬＥＤユニットは、前記ハウジング内に乾燥剤が収容されているので、前記ハウジング内の湿度を低下させ、結露の発生を抑えることができるので、結露によるショートの発生をより確実に防止することができる。
【図面の簡単な説明】
【００１５】
【図１】図１は、本発明の実施例に係る防水ＬＥＤユニットの斜視図である。
【図２】図２は、図１に示した防水ＬＥＤユニットの上面図である。
【図３】図３は、図２に示した防水ＬＥＤユニットのＡ−Ａ線断面図である。
【図４】図４は、図３に示した吸水部材後端保持部周辺を拡大した図である。
【図５】図５は、図２に示した防水ＬＥＤユニットであり、ハウジング内の吸水部材およびＬＥＤを破線で示した図である。
【図６】図６は、防水ＬＥＤユニットの組み付け手順を示した図である。
【図７】図７は、防水ＬＥＤユニットの組み付け手順を示した図である。
【発明を実施するための形態】
【００１６】
以下、図面を参照して、この発明に係る防水ＬＥＤユニットの好適な実施の形態を詳細に説明する。
【実施例】
【００１７】
図１は、本発明の実施例に係る防水ＬＥＤユニット１の斜視図である。図２は、図１に示した防水ＬＥＤユニット１の上面図である。図３は、図２に示した防水ＬＥＤユニット１のＡ−Ａ線断面図である。図４は、図３に示した吸水部材後端保持部３５周辺を拡大した図である。図５は、図２に示した防水ＬＥＤユニット１であり、ハウジング２０内の吸水部材５０およびＬＥＤ１１を破線で示した図である。
なお、便宜上、図中の互いに直交する矢印の方向を前後左右上下方向とする。
【００１８】
本発明の実施例に係る防水ＬＥＤユニット１は、ＬＥＤ１１と、ＬＥＤ１１が取り付けられてなる回路基板１０と、回路基板１０が収容されるハウジング２０と、回路基板１０の端面に当接されて回路基板１０をハウジング２０内の所定位置に保持するためのホルダー３０と、ハウジング２０の開口部２３を塞ぐカバー４０と、ハウジング２０の内面２１に付着された水滴を吸水する吸水部材５０と有してなる。この防水ＬＥＤユニット１は、ハウジング２０内に防水可能に回路基板１０が収容され、回路基板１０に取り付けられたＬＥＤ１１の光がハウジング２０外に出射されるものである。
【００１９】
まず、回路基板１０について説明する。
回路基板１０は、基板上にＬＥＤ１１、抵抗等の電子部品１２が取り付けられている。
また、回路基板１２は、基板上に形成された不図示の端子を介して、信号線あるいは給電線としての電線Ｗに接続されている。回路基板は、この電線Ｗを介して、外部から電力が供給されるようになっている。
ＬＥＤ１１は、箱状のパッケージ内に発光部があり、不図示の回路配線に接続されることによって電力が供給され、この供給された電力によって光を発するようになっている。
【００２０】
次に、ハウジング２０について説明する。
ハウジング２０は、光透過性の合成樹脂材からなり、ハウジング２０内に回路基板１０が収容される収容部２２を有してなる。このハウジング２０は、より具体的には、前壁２０ａと、前壁２０ａの縁に沿って立設された周側壁２０ｂとを有し、一端に回路基板１０の挿入口となる開口部２３が形成されている。
また、周側壁２０ｂの上側部分を形成する壁である上壁２０ｂ１が収容部２１内に取り付けられた回路基板１０と向かい合うようになっている。また、回路基板１０は、ハウジング２０内に設けられた不図示のガイド機構にガイドされながら収容部２２内の所定位置に取り付けられるようになっている。
【００２１】
また、ハウジング２０は、吸水部材５０をハウジング２０の内面２１（以下、ハウジング内面２１という。）に接するように保持する保持部としての吸水部材前端保持部２４を有してなる。
吸水部材前端保持部２４は、前壁２０ａのハウジング内面２１から片状に突出された部分であり、上壁２０ｂ１の内面２１との間隔が吸水部材５０の厚みと略等しくなるようにして形成されている。吸水部材５０の前端部５０ａが、この吸水部材前端保持部２４と、上壁２０ｂ１との間に挿入されることによって、吸水部材５０がハウジング２０に保持されるようになっている。
なお、ハウジング２０は光透過性の合成樹脂からなるもの、すなわちハウジング２０の全体が光を透過されるものを例示したが、これに限らず、ＬＥＤ１１の光をハウジング２０外に出射させる部分に限定して、光が透過される光透過窓を設けるようにしても構わない。
【００２２】
ホルダー３０は、ホルダー３０の外周面３１（以下、ホルダー外周面３１という。）がハウジング内面２１に沿うよう形成され、回路基板１０に接続された各電線Ｗが挿通される電線挿通孔３２を有してなる。
各電線Ｗは筒状弾性シール部材３３に挿通された状態で各電線挿通孔３２内に挿通されるようになっている。すなわち、筒状弾性シール部材３３によって、各電線挿通孔３２のシール性が高められるようになっている。
また、ホルダー外周面３１の一部領域には、外周用弾性シール部材３４が取り付けられることによって、ハウジング内面２１とホルダー外周面３１との密着性が向上され、シール性が高められるようになっている。
【００２３】
また、ホルダー３０は、吸水部材５０を保持するための保持部としての吸水部材後端保持部３５を有してなる。
吸水部材後端保持部３５は、ホルダー外周面３１の前端上側部分、すなわちハウジング２０の上壁１０ｂ１のハウジング内面２１と向かい合うホルダー外周面３１を形成する部分である。この吸水部材後端保持部３５は、ホルダー３０の前端に向けて、ハウジング２０の上壁２０ｂ１のハウジング内面２１との間隔が大きくなるように傾斜されたテーパ面３５ａが形成されてなる。吸水部材５０の後端部５０ｂは、ホルダー３０がハウジング２０内に挿入される際、このテーパ面３５ａに緩やかに当接されるようになっている。
【００２４】
カバー４０は、各電線Ｗがハウジング２０外に引き出し可能にハウジング２０の開口部２３を塞ぐものである。このカバー４０からハウジング２０外に引き出された各電線Ｗは、図１に示すように、束ねられて可撓性の電線保護チューブ４１に覆われることによって保護されるようになっている。
【００２５】
次に、吸水部材５０について説明する。
吸水部材５０は、例えば、スポンジ材等の水分を吸収する外形矩形状の板状部材であり、水分を吸収するものである。この吸水部材５０は、ハウジング内面２１に接するように取付けられることによって、ハウジング内面２１に付着した水滴を吸水するようになっている。
【００２６】
また、吸水部材５０は、ＬＥＤ１１に向かい合うハウジング内面２１に配置され、ＬＥＤ１１のほぼ正面で向かい合う部分にはＬＥＤ１１から発せられた光が通過される円形状の開口である光通過開口部５１が形成されてなる。
さらにまた、吸水部材５０は、光が透過され難い濃色をなし、ＬＥＤ１１から発せられた光が光通過開口部５１からハウジング２０外に出射されるようになっている。
なお、光通過開口部５１は、円形状に限らず、その他の形状の開口であっても構わない。
なお、この実施例の防水ＬＥＤユニット１は、ハウジング２０内にシリカゲル等の乾燥剤６０が収容され、吸水部材５０と合わせて結露の発生を防止するようになっている。
【００２７】
次に、図６および図７を用いて、防水ＬＥＤユニット１の組み付け手順について説明する。図６および図７は、防水ＬＥＤユニット１の組み付け手順を示した図である。
まず、作業者は、ＬＥＤ１１、電子部品１２、電線Ｗを回路基板１０に半田付けする（図６（ａ）参照）。
【００２８】
その後、作業者は、ホルダー３０に外周用弾性シール部材３４を取り付けるとともに、各電線Ｗを筒状弾性シール部材３３に挿通させた状態で各電線挿通孔３２内に挿通する（図６（ｂ）参照）。
【００２９】
その後、作業者は、吸水部材５０をハウジング２０に取り付ける（図６（ｃ）参照）。吸水部材５０は、ハウジング２０内に設けられた吸水部材前端保持部３５によって、ハウジング２０内の所定位置でその前端部５０ａが保持される。
【００３０】
その後、作業者は、回路基板１０とともにホルダー３０を開口部２３から収容部２２内に挿入し、回路基板１０を収容部２２内の取り付け位置に配置する（図７（ｄ）参照）。このように回路基板１０が取り付け位置に配置されると、ＬＥＤ１１の直上に光通過開口部５１が位置される。また、ホルダー３０に設けられた吸水部材後端保持部３５によって吸水部材５０の後端部５０ｂがハウジング内面２１に接するように保持。
【００３１】
その後、作業者は、カバー４０をハウジング２０に取り付けることによって防水ＬＥＤユニット１の組み付けを完了する（図７（ｅ）参照）。これにより、開口部２３が塞がれ、収容部２２内が防水性を有して密閉される。
【００３２】
本発明の実施例に係る防水ＬＥＤユニット１は、ハウジング内面２１に接するように吸水部材５０が設けられているので、結露によってハウジング内面２１に水滴が発生すると、その水滴が吸水部材５０によって吸水され、回路基板１０に付着することを防ぎ、結果的に結露によるショートの発生を防止することができる。
【００３３】
また、本発明の実施例に係る防水ＬＥＤユニット１は、吸水部材５０にＬＥＤ１１から発せられた光が通過される開口である光通過開口部５１が形成されてなるので、ハウジング２０の所定位置から損失を少なく抑えてＬＥＤ１１の光を出射させることができる。
【００３４】
また、本発明の実施例に係る防水ＬＥＤユニット１は、吸水部材５０が濃色であるので、吸水部材５０を介して光がハウジング２０外に透過され難くなり、所定位置以外からハウジング２０外に光が出射させることを確実に防止することができる。
【００３５】
また、本発明の実施例に係る防水ＬＥＤユニット１は、ハウジング２０内に乾燥剤６０が収容されているので、ハウジング２０内の湿度を低下させ、結露の発生を抑えることができるので、結露によるショートの発生をより確実に防止することができる。
【００３６】
なお、本発明の実施例に係る防水ＬＥＤユニット１は、吸水部材５０が、外形矩形状の板状部材であるものを例示したが、これに限らない。すなわち、ハウジング内面２１に接するように設けられていれば、その他の形状であっても構わない。例えば、ハウジング内面２１に溝が形成されている場合、その溝に嵌るように吸水部材５０に凸部を設けるようにしても構わない。
【００３７】
また、本発明の実施例に係る防水ＬＥＤユニット１は、吸水部材５０をハウジング２０に保持するための保持部として、吸水部前端部保持部２４および吸水部材後端保持部３５を例示したが、これに限らず、吸水部材５０がハウジング内面２１に接するように取り付けされることができれば、その他の保持部によって保持されるようにしても構わない。
【００３８】
また、本発明の実施例に係る防水ＬＥＤユニット１は、吸水部材５０が上壁２０ｂ１のハウジング内面２１に接するように設けられるものを例示したが、これに限らない。すなわち、吸水部材５０はハウジング内面２１に接するように設けられていればよい。例えば、吸水部材５０がハウジング２０の周側壁２０ｂのハウジング内面２１全体に接するようにして設けても構わない。
【００３９】
また、本発明の実施例に係る防水ＬＥＤユニット１は、ハウジング２０内に乾燥剤６０が収容されているものを例示したが、これに限らず、ハウジング２０内には乾燥剤６０が収容されなくても構わない。
【００４０】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００４１】
１        ＬＥＤユニット
１０      回路基板
１１      ＬＥＤ
１２      電子部品
２０      ハウジング
２０ａ    前壁
２０ｂ    周側壁
２０ｂ１  上壁
２１      ハウジング内面
２２      収容部
２３      開口部
２４      吸水部材前端保持部
３０      ホルダー
３１      ホルダー外周面
３２      電線挿通孔
３３      筒状弾性シール部材
３４      外周用弾性シール部材
３５      吸水部材後端保持部
３５ａ    テーパ面
４０      カバー
４１      電線保護チューブ
５０      吸水部材
５０ａ    前端部
５０ｂ    後端部
５１      光通過開口部
６０      乾燥剤
Ｗ        電線
【図１】
2013101819.tif 000003
【図２】
2013101819.tif 000004
【図３】
2013101819.tif 000005
【図４】
2013101819.tif 000006
【図５】
2013101819.tif 000007
【図６】
2013101819.tif 000008
【図７】
2013101819.tif 000009